(57)【要約】【課題】通常運転時には乗りかごの重量増加を無くして各種の重量的な仕様条件を適正に保ちつつ、保守点検時には乗りかごの床下の点検や、乗りかごの周辺の昇降路回りの点検などを能率よく行なうことができるエレベータの点検装置を提供する。【解決手段】昇降路１内で昇降する乗りかご２と、乗りかご２に着脱可能に取り付けることが可能な点検作業用の作業台２７とを具備し、作業台２７は、昇降路１の下部のピット部に配置され、エレベータの保守点検時に連結具２８を介して乗りかご２の床下に着脱可能に取り付けられる。作業台２７は、ピット部に設置された足場装置の上に配置されている。また作業台２７は、乗りかご２の昇降移動をガイドするガイドレール３６に係脱可能なガイド装置４０を備えている。【選択図】    図３
2013056727.tif 000002
【特許請求の範囲】
【請求項１】
エレベータの昇降路内で昇降する乗りかごと、
前記乗りかごに着脱可能に取り付けることが可能な点検作業用の作業台と、
を具備することを特徴とするエレベータの点検装置。
【請求項２】
前記作業台は、前記昇降路の下部のピット部に配置され、エレベータの保守点検時に連結手段を介して前記乗りかごの床下に着脱可能に取り付けられることを特徴とする請求項１に記載のエレベータの点検装置。
【請求項３】
前記作業台は、前記ピット部に設置された足場装置の上に配置されていることを特徴とする請求項２に記載のエレベータの点検装置。
【請求項４】
前記作業台は、前記乗りかごの昇降移動をガイドするガイドレールに係脱可能なガイド装置を備えていることを特徴とする請求項１乃至３のいずれかに記載のエレベータの点検装置。
【請求項５】
エレベータの昇降路内で昇降する乗りかごと、
前記乗りかごに着脱可能に取り付けることが可能な点検作業用の作業台と、
を具備し、
エレベータの保守点検時には、前記作業台を前記乗りかごに取り付け、その作業台の上に作業員が乗り、前記乗りかごを点検モードで運転しながら保守点検の作業を行ない、保守点検作業の終了後には、前記作業台を前記乗りかごから取り外し、前記乗りかごを前記作業台から切り離した状態で通常運転モードで運転することを特徴とするエレベータの点検方法。
【発明の詳細な説明】
【技術分野】
【０００１】
この発明の実施形態は、エレベータの乗りかごやその乗りかごが昇降移動する昇降路内を作業員が保守点検する際に使用するエレベータの点検装置及び点検方法に関する。
【背景技術】
【０００２】
ロープ式のエレベータは、建屋の昇降路内に乗りかごが吊り下げられ、その乗りかごが巻上機により駆動されて昇降路内で上下に昇降する。巻上機は、例えば昇降路の上部の機械室に据え付けられ、さらに機械室には巻上機を制御する制御盤が設置されている。通常運転時には、制御盤による制御で巻上機が駆動され、その駆動で乗りかごが昇降路内で上下に昇降移動する。
【０００３】
昇降路の最下部は、建屋の最下階のエレベータホールの床面よりも下方に落ち込むピット部となっており、このピット部の床部にバッファなどの機器が設置されている。そして、エレベータに対する保守点検の作業の一つとして、ピット部内に作業員が入り込み、乗りかごを最下階に下降させた状態でその乗りかごの床下などを保守点検する作業がある。
【０００４】
ところで、高速エレベータにおいては、ピット部の深さが作業員の背丈よりはるかに大きな寸法に設定され、したがってこのようなピット部の深いエレベータにあっては、ピット部内に作業員が入り込んでも乗りかごの床下などに手が届かず、保守点検を実施することが困難となる。
【０００５】
そこで、乗りかごの床下に点検用の作業台を取り付け、その作業台の上に作業員が乗って乗りかごの床下の点検や、乗りかごの周辺の昇降路回りの点検を行なえるようにした点検装置が提案されている。
【先行技術文献】
【特許文献】
【０００６】
【特許文献１】特開平５−１４７８４５号公報
【発明の概要】
【発明が解決しようとする課題】
【０００７】
しかしながら従来の作業台は、乗りかごの床下に固定して取り付けられ、乗りかごの通常運転時においても乗りかごと作業台とが一体に移動する構造となっている。したがって、作業台の重量が乗りかごの全体の重量に加わり、乗りかごの総重量が増大する。このため、乗りかごとつり合い重りとのバランスの仕様条件や、吊り用のロープあるいは巻上機などに対する仕様条件が崩れ、乗りかごの通常運転に支障が生じる恐れがある。
【０００８】
この発明の実施形態は、このような課題に着目し、通常運転時には乗りかごの重量増加を無くして各種の仕様条件を適正に保ちつつ、保守点検時には乗りかごの床下の点検や、乗りかごの周辺の昇降路回りの点検などを能率よく行なうことができるエレベータの点検装置及び点検方法を提供することを目的としている。
【課題を解決するための手段】
【０００９】
このような課題を解決するために、請求項１の発明は、エレベータの昇降路内で昇降する乗りかごと、前記乗りかごに着脱可能に取り付けることが可能な点検作業用の作業台とを具備することを特徴とするエレベータの点検装置である。
【００１０】
請求項２の発明は、前記作業台が、前記昇降路の下部のピット部に配置され、エレベータの保守点検時に連結手段を介して前記乗りかごの床下に着脱可能に取り付けられることを特徴とする請求項１に記載のエレベータの点検装置である。
【００１１】
請求項３の発明は、前記作業台が、前記ピット部に設置された足場装置の上に配置されていることを特徴とする請求項２に記載のエレベータの点検装置である。
【００１２】
請求項４の発明は、前記作業台が、前記乗りかごの昇降移動をガイドするガイドレールに係脱可能なガイド装置を備えていることを特徴とする請求項１乃至３のいずれかに記載のエレベータの点検装置である。
【００１３】
請求項５の発明は、エレベータの昇降路内で昇降する乗りかごと、前記乗りかごに着脱可能に取り付けることが可能な点検作業用の作業台とを具備し、エレベータの保守点検時には、前記作業台を前記乗りかごに取り付け、その作業台の上に作業員が乗り、前記乗りかごを点検モードで運転しながら保守点検の作業を行ない、保守点検作業の終了後には、前記作業台を前記乗りかごから取り外し、前記乗りかごを前記作業台から切り離した状態で通常運転モードで運転することを特徴とするエレベータの点検方法である。
【図面の簡単な説明】
【００１４】
【図１】この発明の一実施形態を示すエレベータの全体の構成図。
【図２】そのエレベータの乗りかごに連結するための作業台及び連結具を示す側面図。
【図３】その乗りかごに作業台を連結した状態を示す側面図。
【図４】図３中のＡ−Ａ線に沿う断面図。
【発明を実施するための形態】
【００１５】
以下、この発明の実施の形態の一例を図面を参照して説明する。
【００１６】
図１には高速エレベータの全体の構成を示してある。建屋には昇降路１が設けられ、この昇降路１内に乗りかご２とつり合い重り３がロープ４を介して吊り下げられている。ロープ４は、例えば昇降路１の上部の機械室５に設けられた駆動手段としての巻上機６に巻き掛けられ、この巻上機６による駆動で乗りかご２とつり合い重り３が昇降路１内で上下に昇降移動する。乗りかご２は、かご枠９及びこのかご枠９の内側に設置されたかご室１０を備え、かご室１０の前面にかごドア１１が設けられている。乗りかご２は、かご枠９及びこのかご枠９の内側に設置されたかご室１０を備え、かご室１０の前面にかごドア１１が設けられている。
【００１７】
建屋の各階のエレベータホール１５には昇降路１内に通じる乗降口１６が設けられ、これら乗降口１６にそれぞれホールドア１７が設けられている。そして、乗りかご２が目的階に移動して着床停止した際にかごドア１１及びホールドア１７が開き、乗りかご２に対する乗客の乗り降りが可能となる。乗客の乗り降りが終了した後には、かごドア１１及びホールドア１７が閉じ、乗りかご２が次の目的階に向って移動する。
【００１８】
昇降路１の最下部は、最下階のエレベータホール１５の床面より下方に落ち込むピット部２０となっている。このピット部２０の深さは、高速エレベータの場合、１０ｍ前後となる。ピット部２０の床面には、かご用及びつり合い重り用のバッファ２１，２２が据え付けられている。さらにピット部２０の床面には、櫓状に組立てられた足場装置２３が設置されている。この足場装置２３の高さは、例えばピット部２０の深さの約１／２となっている。前記バッファ２１，２２は、足場装置２３を貫通してその上方側に突出している。
【００１９】
足場装置２３は複数の建枠２４と、これら建枠２４の上部に架設された上枠２５とを備えている。この足場装置２３の上面つまり上枠２５の上には、乗りかご２の床下に着脱自在に取り付けることが可能な作業台２７、及びその作業台２７を乗りかご２の床下に取り付けるための複数の連結手段としての連結具２８が収納載置されている。
【００２０】
各連結具２８は、図２に示すように、例えば円形の中空パイプからなり、それぞれその両端部には連結部材としてのフック２９，３０が一体的に取り付けられている。また、作業台２７は例えば四角形の平板状をなし、その四隅部に前記フック２９の掛止めが可能な例えばリング状の掛け具３１が取り付けられている。
【００２１】
乗りかご２のかご枠９の下部には床枠３２が据え付けられ、この床枠３２の上にかご室１０が設置されている。この床枠３２の下面側の四隅部には前記連結具２８のフック３０の掛止めが可能な例えばリング状の掛け具３３が取り付けられている。
【００２２】
エレベータの通常運転時には、図１に示すように、ピット部２０の足場装置２３の上に作業台２７及び各連結具２８が収納載置された状態、つまり作業台２７と乗りかご２とが切り離された状態で乗りかご２が通常運転モードによる制御で運行される。
【００２３】
一方、エレベータの保守点検時には、乗りかご２の運転モードが点検モードに切り換えられ、その点検モードによる低速運転で乗りかご２が建屋の最下階付近にまで移動して停止するように制御される。
【００２４】
そしてこの状態において、作業員が最下階の乗降口１６のホールドア１７を手動で開き、その乗降口１６からピット部２０内に入り、足場装置２３の上に乗り込む。足場装置２３の上に乗り込んだ作業員は、図２に示すようにその足場装置２３の上の作業台２７を乗りかご２の床下方に所定の間隔を保って対向させ、その作業台２７の各掛け具３１と乗りかご２の各掛け具３３とを互いに対応させる。
【００２５】
次に、連結具２８を手で持ち、その連結具２８の一端側のフック２９を作業台２７の掛け具３１に掛け止め、他端側のフック３０をその掛け具３１に対応する乗りかご２の掛け具３３に掛け止める。同様に、他の連結具２８のフック２９，３０を互いに対応する掛け具３１，３３に掛け止め、作業台２７の四隅部と乗りかご２の床下の四隅部との間に連結具２８を装着し、これら連結具２８で図３に示すように乗りかご２の床下に作業台２７を連結する。
【００２６】
ところで、昇降路１内には、図３及び図４に示すように乗りかご２の昇降移動をガイドするためのガイドレール３６が垂直に設けられている。なお、図１及び図２においてはガイドレール３６を省略してある。ガイドレール３６は乗りかご２の両側にかご枠９と対向するように平行に配置されている。そして、かご枠９上下部にはガイド装置３７が取り付けられ、これらガイド装置３７がガイドレール３６に係合し、この係合により乗りかご２がガイドレール３６に沿って円滑に移動することが可能となっている。
【００２７】
一方、作業台２７の両側中間部には、前記ガイドレール３６に対して係脱可能なガイド装置４０が取り付けられている。そして、作業台２７を乗りかご２の床下に連結する際には、その作業台２７の各ガイド装置４０をガイドレール３６に係合させる。なお、作業台２７の中央部には、図４に示すようにバッファ２１を通すための開口４１が形成されている。
【００２８】
このように、作業台２７を連結具２８を介して乗りかご２の床下に連結した後には、その作業台２７の上に作業員が乗り込み、乗りかご２を点検モードで運転し、作業台２７の上から乗りかご２の床下回りの点検や、乗りかご２の周辺の昇降路回りの点検を行なう。乗りかご２が点検モードで運転され、その乗りかご２と一体的に作業台２７が上下に移動するときには、その作業台２７に設けられたガイド装置４０を介して作業台２７がガイドレール３６に沿って移動し、したがって作業台２７が振動や横揺れなどを起すことなく、円滑に上下に移動する。このため、安全にかつ能率よく保守点検の作業を進めることができる。
【００２９】
保守点検の作業が終了した後には、作業台２７が足場装置２３の上枠２５に接近する位置にまで乗りかご２を下降させる。そして、各連結具２８のフック２９，３０を作業台２７の掛け具３１及び乗りかご２の掛け具３３から外し、作業台２７を乗りかご２から切り離し、その作業台２７及び取り外した各連結具２８を足場装置２３の上に載置して保管する。次に、エレベータの運転モードを点検モードから通常モードに切り換え、その通常モードで乗りかご２を運転し、通常運行に移行する。
【００３０】
エレベータの通常運行の際には、乗りかご２から作業台２７が切り離されており、したがって作業台２７の重量が乗りかご２に加わることがない。このため、乗りかご２とつり合い重り３とのバランスの仕様条件や、吊り用のロープ４あるいは巻上機６などに対する仕様条件を適正に保って乗りかご２の運行を適正に継続させることができる。
【００３１】
なお、前記実施形態では、パイプ状の連結具２８を介して作業台２７を乗りかご２に着脱可能に連結するようにしたが、他の形状の連結具を用いて連結したり、あるいは作業台２７や乗りかご２に予め組み付けてある連結具を用いて作業台２７を乗りかご２に着脱可能に連結するような場合であってもよい。
【００３２】
また、作業台２７は、ピット部２０に設けられた足場装置２３の上に収納載置する場合に限らず、ピット部２０に設けられた他の機器などの上に収納載置し、あるいはピット部２０の床面の上に直接収納載置するような場合であってもよい。
【００３３】
すなわち、前記実施形態は、例として提示したものであり、発明の範囲を限定することは意図していない。この発明の新規な実施形態は、その他の様々な形態とすることが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００３４】
１…昇降路
２…乗りかご
２０…ピット部
２３…足場装置
２４…建枠
２５…上枠
２７…作業台
２８…連結具
２９．３０…フック
３１．３３…掛け具
３２…床枠
３６…ガイドレール
３７…ガイド装置
４０…ガイド装置
【図１】
2013056727.tif 000003
【図２】
2013056727.tif 000004
【図３】
2013056727.tif 000005
【図４】
2013056727.tif 000006